(57)【要約】【課題】低周波で人体の足部のつぼを電気激発させる補助装置を提供する。【解決手段】ワンセット又はワンセット以上の正電極ポイント１１および負電極ポイント１２を並列又は直列の組合せで銅箔板、導電ゴム又は導電フィルムに設置することにより、電気激発薄片１０を形成する。正電極ポイント１１および負電極ポイント１２は導電パス１１１又は導電パス１２１を経由して、正電極の極性接点部１１２又負電極の極性接点部１２２に接続される。正電極の極性接点部１１２又は負電極の極性接点部１２２は個別にワイヤ１１３又はワイヤ１２３で導電挿入接続ピン２１又は導電挿入接続ピン２２に接続される。正電極ポイント１１および負電極ポイント１２が人体の足部の各つぼ反射エリアに対応するように分布され、靴の敷板を形成する。【選択図】    図１
2004236687.tif 000002
【特許請求の範囲】
【請求項１】
ワンセット又はワンセット以上の正負電極ポイントを並列又は直列の組合せで銅箔板、導電ゴム又は導電フィルムに設置することにより、電気激発薄片を形成し、ワンセット又はワンセット以上の正負電極ポイントが人体の足部の各つぼ反射エリアに対応するように分布され、靴の敷板を形成することを特徴とする低周波で人体の足部のつぼを電気激発させる補助装置。
【請求項２】
各正負電極ポイントは導電パスを経由して、正電極又は負電極の極性接点部に接続されることを特徴とする請求項１記載の低周波で人体の足部のつぼを電気激発させる補助装置。
【請求項３】
各極性接点部は個別にワイヤで正電極ポイント又は負電極ポイントの導電挿入接続ピンに接続されることを特徴とする請求項２記載の低周波で人体の足部のつぼを電気激発させる補助装置。
【請求項４】
導電パスは導電フィルム（１）の薄片体で挟まれる層に設けられ、正負電極ポイントの間は絶縁の状態となることを特徴とする請求項２記載の低周波で人体の足部のつぼを電気激発させる補助装置。
【請求項５】
電気激発薄片としては、ワイヤコントロール又はリモコンの制御器でいずれのワンセット又はマルチセットの正負電極ポイントも操作および制御可能であることを特徴とする請求項１記載の低周波で人体の足部のつぼを電気激発させる補助装置。
【請求項６】
制御器は電流出力の開閉および強弱の調節を制御し、選定の機能を具有することを特徴とする請求項５記載の低周波で人体の足部のつぼを電気激発させる補助装置。
【請求項７】
靴の敷板形態を具有する電気激発薄片は各足部のつぼ反射エリアに対応するように分布し、配分のエリアにワンセット又はマルチセットの正負電極ポイントを並列又は直列の組合せで配置し、側薄片に集中するように排列線部を形成することを特徴とする請求項１記載の低周波で人体の足部のつぼを電気激発させる補助装置。
【請求項８】
靴の敷板形態を持つ電気激発薄片を靴に付けて成型することを特徴とする請求項１記載の低周波で人体の足部のつぼを電気激発させる補助装置。
【請求項９】
靴の敷板形態を持つ電気激発薄片を按摩の踏みペッドに付けて成型することを特徴とする請求項１記載の低周波で人体の足部のつぼを電気激発させる補助装置。
【請求項１０】
ワンセット又はマルチセットの正負電極ポイントを靴の上下の履く表面に集中又は別々に設置することを特徴とする請求項８記載の低周波で人体の足部のつぼを電気激発させる補助装置。
【請求項１１】
靴の履く内壁面に電極薄片を設置することを特徴とする請求項８記載の低周波で人体の足部のつぼを電気激発させる補助装置。
【請求項１２】
靴の履く上表面としては、二枚の分離薄片で結合組成し、二枚の分離薄片の対応した表面にそれぞれ自身粘着可能又は向き合うようにロック可能であるユニットを配置することを特徴とする請求項８記載の低周波で人体の足部のつぼを電気激発させる補助装置。
【請求項１３】
靴の履く上表面に制御器が付いて結合されることを特徴とする請求項８記載の低周波で人体の足部のつぼを電気激発させる補助装置。
【請求項１４】
靴の履く上下表面に、正負極性の導電の挿入接続ピンを設置して、それぞれ制御器又は極性の貼り付け薄片を接続することを特徴とする請求項８記載の低周波で人体の足部のつぼを電気激発させる補助装置。
【請求項１５】
靴の履く下表面に、外部接続のように制御器を結合し、靴の履く上表面に極性の貼り付け薄片を設けることを特徴とする請求項８記載の低周波で人体の足部のつぼを電気激発させる補助装置。
【請求項１６】
按摩踏みペッドには、二枚の伸ばせる極性の貼り付け薄片を設けることを特徴とする請求項９記載の低周波で人体の足部のつぼを電気激発させる補助装置。
【発明の詳細な説明】
【０００１】
【発明の属する技術分野】
本発明は、低周波で人体の足部のつぼを電気激発させる補助装置を提供することにある。主に、ワンセット又はワンセット以上の正負電極ポイントを並列又は直列の組合せで銅箔板、導電ゴム又は導電フィルムに設置することにより、電気激発薄片を形成する。
そんな電気激発薄片は靴の敷板に適用できる。また、制御装置により、ワンセットやマルチセットを選択して、低周波で人体の足部のつぼを電気激発する。
【０００２】
【従来の技術】
従来から、既存の足部の按摩器は、通常、偏心輪の機構で振動の按摩効果を発生させ、又は、足の踏み部位に数多の按摩突出粒子を設置して、重量の圧迫で足部のつぼ反射エリアと接触することにより、足部のつぼを刺激し、足部の按摩効果に役立つ。
【０００３】
【発明が解決しようとする課題】
そんな組成は簡単であるが、効果はあまり現れない。
したがって、本発明の主な目的は、低周波で人体の足部のつぼを電気激発させる補助装置を提供することにある。
【０００４】
【課題を解決するための手段】
主に、人体の足の底部に合わせて設けて、ワンセット又はワンセット以上の正負電極ポイントを並列又は直列の組合せで銅箔板、導電ゴム又は導電フィルムに設置することにより、電気激発薄片を形成する。
【０００５】
そんな電気激発薄片を靴の敷板に実施する。また、制御装置により、ワンセットやマルチセットの正負電極ポイントを操作および制御することにより、低周波で人体の足部の選定つぼを電気激発し、体を健康にするという効果に役立つ。
【０００６】
【発明の実施の形態】
本発明の目的、特徴および効果などをご了解なさるために、以下、さらに具体的な実施例を図面にあわせて詳しく説明してみよう。
まずは図１および図２を御覧下さい。本発明の一実施例による低周波で人体の足部のつぼを電気激発させる補助装置の設計は、主に、ワンセット又はワンセット以上の正電極ポイント１１および負電極ポイント１２を並列又は直列の組合せで導電フィルム１（銅箔板又は導電ゴム材質）に設置することにより、電気激発薄片１０を形成する。正電極ポイント１１および負電極ポイント１２は導電パス１１１又は導電パス１２１を経由して、正電極又は負電極の極性接点部１１２又は極性接点部１２２に接続される。極性接点部１１２および極性接点部１２２は個別にワイヤ１１３又はワイヤ１２３で正電極ポイント１１の導電挿入接続ピン１１４又は負電極ポイント１２の導電挿入接続ピン１２４に接続される。また、前述の導電パス１１１および導電パス１２１は、図２に示すように、導電フィルム１の薄片体で挟まれる層に設けられるので、正電極ポイント１１と負電極ポイント１２との間は絶縁の状態となる。
【０００７】
前掲のワンセット又はワンセット以上の正電極ポイント１１および正負電極ポイント１２を並列又は直列の組合せで導電フィルム１（銅箔板又は導電ゴム材質）に設置することにより形成される電気激発薄片１０としては、正電極ポイント１１および正負電極ポイント１２を人体の足部のつぼＦ１に対応させ、図３に示すように、ワイヤコントロール（又はリモコン）の制御器２でいずれのワンセット又はマルチセットの正電極ポイント１１および正負電極ポイント１２も操作および制御することができる。つまり、低周波で人体の足部Ｆの選定つぼＦ１のエリアを電気激発および按摩して、図４に示すように、人体の使用部位の血液を促進させることにより、体の健康のために筋および脈をくつろがせると言う効果を遂げる。
【０００８】
上述の制御器２は電流出力の開閉および強弱を制御および調節し、各種の選定効果を具有する。その内部には電池を設置し、二本の異なる正負極性の導電挿入接続ピン２１および導電挿入接続ピン２２をそれぞれ電気激発薄片１０の導電挿入接続ピン１１４又は導電挿入接続ピン１２４に導く。制御器２は、選定箇所にニーズに応じてクリップ２３を設置してもよく、使用のとき、身に付けることができる。制御スイッチ２４および制御スイッチ２５は開閉するように操作および制御できる。電流強弱の調節スイッチ２６はプッシプール又はノッブのステップレススイッチ形態を採用してもよい。
【０００９】
図５を御覧下さい。本発明の実施例は、主に、人体足部の各つぼの反射エリアに応じて、電気激発薄片１０を靴の敷板の形態として応用する。つまり、靴の敷板の形態を具有する電気激発薄片１０は、足部の各つぼ反射エリアに対応するように分布する。各配分のエリアには、ワンセット又はワンセット以上の正電極ポイント１１および負電極ポイント１２を並列又は直列の組合せで配置する。また、側薄片１０１に集中して排列線部１０２を形成して、便利に制御器と接続して組み合わせる。
【００１０】
上述の靴の敷板の形態を具有する電気激発薄片１０は、図６に示すように、靴３に付けて成型してもよいし、又は、図７に示すように、按摩の踏みペッド４の組合せ形態を採用してもよい。しかも、ワイヤコントロール（又はリモコン）の制御器２（注：靴の履く上表面３１に取り付けること）を利用して、いずれのワンセット又はマルチセットの正負電極ポイントも操作および制御し、低周波で人体の足部のつぼ反射エリアを電気激発する効果を遂げる。
【００１１】
その他、本発明の構造を靴３の上下の履く表面に応用する場合、ワンセット又はマルチセットの正負電極ポイントを靴３の上下の履く表面３１および履く表面３２に集中又は別々に設置する（図８から図１１の様々な掲示の実施案例を御参照下さい）。
【００１２】
図１２を御覧下さい。本発明の構造を靴３に応用する場合、靴３の履く上表面３１の内壁面に、正又は負の電極薄片３３を設置する。電極薄片３３は靴の敷板１０の負又は正の電極ポイントに対応して合わせるように電気激発の按摩作用を発生する。また、靴３の履く上表面３１としては、二枚の分離薄片３１１および分離薄片３１２で結合組成してもよい。二枚の分離薄片３１１および分離薄片３１２の対応した表面に、それぞれ自身粘着できる（又は向き合うようにロックできる）ユニット３１３又はユニット３１４を配置するので、貼り付けて結合される。そうすると、サイズを調整して、異なるユーザの足部の寸法に合って適用でき、電極薄片３３と人体の足部とのよい接触を確保する。
【００１３】
同様に、図１３に示すように、本発明の構造を靴３に応用する場合、靴３用の外部接続式の制御器２の極性接点部１１２（又は極性接点部１２２）を“履く下表面”３２に設置してもよい。そして、制御器２を経由して、低周波で電気激発および按摩する。
【００１４】
図１４に示すように、応用の実施の場合、外部接続式の正又は負の電極薄片３３を靴３の選定位置に案内、接続および組み合わせる。それで、正又は負の電極薄片３３を足部の上に貼り付ける。さらに、外部接続式の制御器２を“履く下表面”３２に設ける。制御器２を経由して、低周波で電気激発および按摩する。
【００１５】
図１５を御覧下さい。本発明の構造を按摩の踏みペッド４に応用する場合、上述の靴３の実施形態を参照することができる。按摩の踏みペッド４には、二枚の伸ばされる極性貼り付け薄片を配置する。足部に貼り付けると、低周波で電気激発および按摩する。
【００１６】
しかしながら、前述の低周波で人体の足部のつぼを電気激発させる補助装置の様々な形態は本発明の実施例だけで本発明の技術範囲を限定しない。同様効果の応用、前項技術手段の簡易変更および類似の改善などはすべて本発明の請求範疇に含まれる。
【００１７】
本発明は、低周波で人体の足部のつぼを電気激発させる補助装置の設計を提供する。ワンセット又はワンセット以上の正負電極ポイントを並列又は直列の組合せで銅箔板、導電ゴム又は導電フィルムに設置することにより、電気激発薄片を形成する。正負電極ポイントを人体の足部の選定つぼに対応させ、ワイヤコントロール（又はリモコン）の制御器でいずれのワンセット又はマルチセットの正負電極ポイントも操作および制御することができる。つまり、低周波で人体の足部のつぼを電気激発および按摩して、人体の使用部位の血液を促進させることにより、体の健康のために筋および脈をくつろがせると言う効果を遂げる。
【００１８】
本発明は、低周波で人体の足部のつぼを電気激発させる補助装置の設計を提供する。ワンセット又はワンセット以上の正負電極ポイントを持つ電気激発薄片を靴の敷板に実施する場合、各正負電極ポイントが足部のつぼ反射エリアに対応するように分布する。さらに、制御器でいずれのワンセット又はマルチセットの正負電極ポイントも操作および制御する。そうすると、各足部のつぼ反射エリアは低周波で電気激発および按摩する効果が得られて、体の健康のために人体の生理機能を刺激するという効果を達成する。
【図面の簡単な説明】
【図１】本発明の一実施例による低周波で人体の足部のつぼを電気激発させる補助装置の電気激発薄片の局部を示す斜視図である。
【図２】本発明の一実施例による低周波で人体の足部のつぼを電気激発させる補助装置の電気激発薄片の局部を示す断面図である。
【図３】本発明の一実施例による低周波で人体の足部のつぼを電気激発させる補助装置の制御器を示す斜視図である。
【図４】人体足部のつぼ反射エリアを示す模式図である。
【図５】本発明の一実施例による低周波で人体の足部のつぼを電気激発させる補助装置による靴の敷板の形態を示す模式図である。
【図６】本発明の一実施例による低周波で人体の足部のつぼを電気激発させる補助装置の電気激発薄片を靴に付けて成形する形態を示す斜視図である。
【図７】本発明の一実施例による低周波で人体の足部のつぼを電気激発させる補助装置の電気激発薄片を按摩踏みペッドに付けて成形する形態を示す斜視図である。
【図８】本発明の一実施例による低周波で人体の足部のつぼを電気激発させる補助装置の電気激発薄片を靴に付けて成形する形態を示す模式図である。
【図９】本発明の一実施例による低周波で人体の足部のつぼを電気激発させる補助装置の電気激発薄片を靴に付けて成形する形態を示す模式図である。
【図１０】本発明の一実施例による低周波で人体の足部のつぼを電気激発させる補助装置の電気激発薄片を靴に付けて成形する形態を示す模式図である。
【図１１】本発明の一実施例による低周波で人体の足部のつぼを電気激発させる補助装置の電気激発薄片を靴に付けて成形する形態を示す模式図である。
【図１２】本発明の一実施例による低周波で人体の足部のつぼを電気激発させる補助装置を靴に応用する他の形態を示す斜視図である。
【図１３】本発明の一実施例による低周波で人体の足部のつぼを電気激発させる補助装置を靴に応用する他の形態を示す斜視図である。
【図１４】本発明の一実施例による低周波で人体の足部のつぼを電気激発させる補助装置を靴に応用する他の形態を示す斜視図である。
【図１５】本発明の一実施例による低周波で人体の足部のつぼを電気激発させる補助装置を按摩踏みペッドに応用する他の形態を示す斜視図である。
【符号の説明】
１    導電フィルム
２    制御器
１０    電気激発薄片
１１    正電極ポイント
１２    負電極ポイント
２１    導電の挿入接続ピン
２２    導電の挿入接続ピン
２３    クリップ
２４    制御スイッチ
２５    制御スイッチ
２６    調節スイッチ
３１    履く上表面
３２    履く下表面
１０１    側薄片
１０２    排列線部
１１１    導電パス
１１２    正電極の接点部
１１３    ワイヤ
１１４    導電の挿入接続ピン
１２１    導電パス
１２２    負電極の接点部
１２３    ワイヤ
１２４    導電の挿入接続ピン
【図１】
2004236687.tif 000003
【図２】
2004236687.tif 000004
【図３】
2004236687.tif 000005
【図４】
2004236687.tif 000006
【図５】
2004236687.tif 000007
【図６】
2004236687.tif 000008
【図７】
2004236687.tif 000009
【図８】
2004236687.tif 000010
【図９】
2004236687.tif 000011
【図１０】
2004236687.tif 000012
【図１１】
2004236687.tif 000013
【図１２】
2004236687.tif 000014
【図１３】
2004236687.tif 000015
【図１４】
2004236687.tif 000016
【図１５】
2004236687.tif 000017